(57)【要約】      （修正有）【課題】リセット期間におけるランプ波を簡単な駆動回路で実現する。【解決手段】第１電圧を出力する第１電圧印加部３００と、第２電圧を出力する第２電圧印加部３０４と、第１電圧印加部と第２電圧印加部との間に接続され、ランプ上昇電圧を制御する第１ランプスイッチング部３０２と、第１ランプスイッチング部と電極との間に接続され、電極にハイレベルの走査電圧を印加する第１走査スイッチング部３０６と、を備え、第１電圧印加部から第１電圧が出力され、第１ランプスイッチング部がターンオンされ、第１走査スイッチング部がターンオンされて電極にランプ上昇電圧を印加する。【選択図】図１０
2005258399.tif 000002
【特許請求の範囲】
【請求項１】
ディスプレイパネル駆動信号のリセット区間で、前記ディスプレイパネルに備えられた少なくとも一つの電極に第１電圧から第２電圧まで徐々に増加するランプ上昇電圧を印加するために、
前記第１電圧を出力する第１電圧印加部と、
前記第２電圧を出力する第２電圧印加部と、
前記第１電圧印加部と前記第２電圧印加部との間に接続され、前記ランプ上昇電圧を制御する第１ランプスイッチング部と、
前記第１ランプスイッチング部と前記電極との間に接続され、前記電極にハイレベルの走査電圧を印加する第１走査スイッチング部と、を備え、
前記第１電圧印加部から第１電圧が出力され、前記第１ランプスイッチング部がターンオンされ、前記第１走査スイッチング部がターンオンされて前記電極に前記ランプ上昇電圧を印加することを特徴とするディスプレイパネル駆動装置。
【請求項２】
前記第１電圧印加部は、
第１電圧の電源端に接続された第１スイッチと、
接地端に接続された第２スイッチと、を備え、
前記第１スイッチはターンオンされ、前記第２スイッチはターンオフされることによって、前記第１電圧を出力することを特徴とする請求項１に記載のディスプレイパネル駆動装置。
【請求項３】
前記第１電圧印加部は、
前記第１スイッチと前記第２スイッチとの間のノードに接続された第３スイッチをさらに備え、
前記第１スイッチはターンオンされ、前記第２スイッチはターンオフされ、前記第３スイッチはターンオンされることによって、前記第１電圧を出力することを特徴とする請求項２に記載のディスプレイパネル駆動装置。
【請求項４】
前記第１電圧印加部は、
エネルギー回生回路をさらに備えることを特徴とする請求項１に記載のディスプレイパネル駆動装置。
【請求項５】
前記第１ランプスイッチング部は、
前記第１電圧印加部と前記第２電圧印加部との間に接続された第１キャパシタと、
前記第２電圧印加部と前記第１キャパシタとの間のノードに接続された第４スイッチと、  を備えることを特徴とする請求項１に記載のディスプレイパネル駆動装置。
【請求項６】
前記第４スイッチには、
前記ランプ上昇傾きを制御する回路が接続されたことを特徴とする請求項５に記載のディスプレイパネル駆動装置。
【請求項７】
前記第１走査スイッチング部は、
走査電源部と、
前記走査電源と前記第１ランプスイッチング部とに接続された第５スイッチと、
前記第１ランプスイッチング部と前記電極との間に接続された第６スイッチと、を備えることを特徴とする請求項１に記載のディスプレイパネル駆動装置。
【請求項８】
ディスプレイパネル駆動信号のリセット区間で、前記ディスプレイパネルに備えられた少なくとも一つの電極に第１電圧から第２電圧まで徐々に増加するランプ上昇電圧を印加するために、
前記第１電圧を出力する第１電圧印加部と、
前記第２電圧を出力する第２電圧印加部と、
前記第１電圧印加部と前記第２電圧印加部との間に接続され、前記ランプ上昇電圧を制御する第１ランプスイッチング部と、
前記第２電圧印加部と前記第１ランプスイッチング部とに接続され、前記第２電圧を前記電極にハイレベルの走査電圧として印加する第１走査スイッチング部と、備え、
前記第１電圧印加部から第１電圧が出力され、前記第１ランプスイッチング部がターンオンされ、前記第１走査スイッチング部がターンオンされて前記電極に前記ランプ上昇電圧を印加することを特徴とするディスプレイパネル駆動装置。
【請求項９】
前記第１電圧印加部は、
第１電圧の電源端に接続された第１スイッチと、
接地端に接続された第２スイッチと、を備え、
前記第１スイッチはターンオンされ、前記第２スイッチはターンオフされることによって、前記第１電圧を出力することを特徴とする請求項８に記載のディスプレイパネル駆動装置。
【請求項１０】
前記第１電圧印加部は、
前記第１スイッチと前記第２スイッチとの間のノードに接続された第３スイッチをさらに備え、
前記第１スイッチはターンオンされ、前記第２スイッチはターンオフされ、前記第３スイッチはターンオンされることによって、前記第１電圧を出力することを特徴とする請求項９に記載のディスプレイパネル駆動装置。
【請求項１１】
前記第１電圧印加部は、
エネルギー回生回路をさらに備えることを特徴とする請求項８に記載のディスプレイパネル駆動装置。
【請求項１２】
前記第１ランプスイッチング部は、
前記第１電圧印加部と前記第２電圧印加部との間に互いに直列に接続された第１キャパシタ及び第４スイッチを備えることを特徴とする請求項８に記載のディスプレイパネル駆動装置。
【請求項１３】
前記第４スイッチには、
前記ランプ上昇傾きを制御する回路が接続されたことを特徴とする請求項１２に記載のディスプレイパネル駆動装置。
【請求項１４】
前記第１走査スイッチング部は、
前記第１ランプスイッチング部と前記電極との間に接続された第６スイッチを備えることを特徴とする請求項８に記載のディスプレイパネル駆動装置。
【発明の詳細な説明】
【技術分野】
【０００１】
本発明は、プラズマディスプレイパネル(ＰＤＰ)のようなディスプレイパネルの駆動装置に関する。
【背景技術】
【０００２】
図１は、一般的な３電極面放電方式のＰＤＰの構造を示す図面である。
【０００３】
図１を参照すれば、一般的な面放電ＰＤＰ１の前面及び背面ガラス基板１００、１０６の間には、アドレス電極ラインＡ1，Ａ2，…，Ａm、誘電層１０２、１１０、Ｙ電極ラインＹ1，…，Ｙn、Ｘ電極ラインＸ1，…，Ｘn、蛍光層１１２、隔壁１１４、及び保護層として一酸化マグネシウム(ＭｇＯ)層１０４が設けられている。
【０００４】
アドレス電極ラインＡ1，Ａ2，…，Ａmは背面ガラス基板１０６の前方に一定のパターンで形成される。下方の誘電層１１０は、アドレス電極ラインＡ1，Ａ2，…，Ａmの前方に塗布される。下方の誘電層１１０の前方には隔壁１１４がアドレス電極ラインＡ1，Ａ2，…，Ａmと平行した方向に形成される。この隔壁１１４は、各ディスプレイセルの放電領域を区画し、各ディスプレイセル間の光学的干渉を防止する機能をする。蛍光層１１２は、隔壁１１４の間で形成される。
【０００５】
Ｘ電極ラインＸ1，…，ＸnとＹ電極ラインＹ1，…，Ｙnとはアドレス電極ラインＡ1，Ａ2，…，Ａmと直交するように前面ガラス基板１００の後方に一定のパターンで形成される。各交差点は相応するディスプレイセルを設定する。各Ｘ電極ラインＸ1，…，Ｘnと各Ｙ電極ラインＹ1，…，ＹnとはＩＴＯ(Indium Tin Oxide)などの透明な導電性材質の透明電極ラインＸna、Ｙnaと伝導度を高めるための金属電極ラインＸnb、Ｙnbが結合されて形成される。前方の誘電層１０２はＸ電極ラインＸ1，…，ＸnとＹ電極ラインＹ1，…，Ｙnの後方に全面塗布されて形成される。強い電界からパネル１を保護するための保護層１０４、例えば、ＭｇＯ層は前方の誘電層１０２の後方に全面塗布されて形成される。放電空間１０８にはプラズマ形成用ガスが密封される。
【０００６】
このようなＰＤＰに一般的に適用される駆動方式は、初期化、アドレス、及びディスプレイ維持段階が単位サブフィールドで順次に行われる方式である。初期化段階では駆動されるディスプレイセルの電荷状態が均一になる。アドレス段階では、選択されるディスプレイセルの電荷状態と選択されないディスプレイセルの電荷状態が設定される。ディスプレイ維持段階では、選択されるディスプレイセルでディスプレイ放電が行われる。この時、ディスプレイ放電を行うディスプレイセルのプラズマ形成用ガスからプラズマが形成され、このプラズマからの紫外線放射によって前記ディスプレイセルの蛍光層１１２が励起されて光が発生する。
【０００７】
図２は、図１のＰＤＰの一般的な駆動装置を示す。
【０００８】
図面を参照すれば、ＰＤＰ１の一般的な駆動装置は映像処理部２００、制御部２０２、アドレス駆動部２０６、Ｘ駆動部２０８、及びＹ駆動部２０４を含む。
【０００９】
映像処理部２００は、外部アナログ映像信号をデジタル信号に変換して内部映像信号、例えば、それぞれ８ビットの赤色(Ｒ)、緑色(Ｇ)、及び青色(Ｂ)映像データ、クロック信号、垂直及び水平同期信号を発生させる。
制御部２０２は、映像処理部２００からの内部映像信号によって駆動制御信号ＳA、ＳY、ＳXを発生させる。
アドレス駆動部２０６は、制御部２０２からの駆動制御信号ＳA、ＳY、ＳXのうちアドレス信号ＳAを処理して表示データ信号を発生させ、発生した表示データ信号をアドレス電極ラインに印加する。
Ｘ駆動部２０８は、制御部２０２からの駆動制御信号ＳA、ＳY、ＳXのうちＸ駆動制御信号ＳXを処理してＸ電極ラインに印加する。Ｙ駆動部２０４は、制御部２０２からの駆動制御信号ＳA、ＳY、ＳXのうちＹ駆動制御信号ＳYを処理してＹ電極ラインに印加する。
【００１０】
前記のような構造のＰＤＰ１の駆動方法として主に使われるアドレス−ディスプレイ分離駆動方法が特許文献１に開示されている。
【００１１】
図３は、図１のＰＤＰのＹ電極ラインに対する一般的なアドレス−ディスプレイ分離駆動方法を示す。
【００１２】
図面を参照すれば、単位フレームは時分割階調表示を実現するために所定数、例えば８個のサブフィールドＳＦ1，…，ＳＦ8に分割される。また、各サブフィールドＳＦ1，…，ＳＦ8はリセット区間(図示せず)と、アドレス区間Ａ1，…，Ａ8及び、維持放電区間Ｓ1，…，Ｓ8に分割される。
【００１３】
各アドレス区間Ａ1，…，Ａ8では、アドレス電極ライン(図１のＡ1，Ａ2，…，Ａm-1，Ａm)に表示データ信号が印加されると同時に各Ｙ電極ラインＹ1，…，Ｙnに相応する走査パルスが順次に印加される。
【００１４】
各維持放電区間Ｓ1，…，Ｓ8では、Ｙ電極ラインＹ1，…，ＹnとＸ電極ラインＸ1，…，Ｘnとにディスプレイ放電用パルスが交互に印加され、アドレス区間Ａ1，…，Ａ8で壁電荷が形成された放電セルで表示放電を起こす。
【００１５】
ＰＤＰの輝度は、単位フレームで占める維持放電区間Ｓ1，…，Ｓ8内の維持放電パルス数に比例する。１画像を形成する一つのフレームが、８個のサブフィールドと２５６階調で表現される場合に、各サブフィールドには順次に１、２、４、８、１６、３２、６４、１２８の割合で相異なる維持パルスの数が割り当てられる。もし、１３３階調の輝度を得るためには、サブフィールド１期間、サブフィールド３期間、及びサブフィールド８期間の間セルをアドレスして維持放電すればよい。
【００１６】
各サブフィールドに割り当てられる維持放電の数は、ＡＰＣ(Automatic Power Control)段階によるサブフィールドの加重分によって可変的に決められる。また、各サブフィールドに割り当てられる維持放電の数は、ガンマ特性やパネル特性を考慮して多様に変形可能である。
【００１７】
例えば、サブフィールド４に割り当てられた階調度を８から６に下げ、サブフィールド６に割り当てられた階調度を３２から３４に高めることができる。また、一つのフレームを形成するサブフィールドの数も設計仕様によって多様に変形可能である。
【００１８】
図４は、図１に示されたパネルの駆動信号の一例を説明するためのタイミング図であって、ＡＣ型ＰＤＰのＡＤＳ(Address display separated)駆動方式において一つのサブフィールドＳＦ内にアドレス電極Ａ、共通電極Ｘ、及び走査電極Ｙ1〜Ｙnに印加される駆動信号を示す。図４を参照すれば、一つのサブフィールドＳＦはリセット区間ＰＲ、アドレス区間ＰＡ、及び維持放電区間ＰＳを含む。
【００１９】
リセット区間ＰＲは、あらゆるグループの走査ラインに対してリセットパルスを印加し、強制的に書込み放電を行うことによって、全体セルの壁電荷状態を初期化する。アドレス区間ＰＡに入っていく前にリセット区間ＰＲが行われ、これは全画面にかけて行うので、かなり均一でありながら所望の分布の壁電荷配置が作られる。
【００２０】
リセット区間ＰＲにより初期化されたセルは、セル内部の壁電荷条件が全て類似して形成される。リセット区間ＰＲの実行後にアドレス区間ＰＡが行われる。
【００２１】
この時にアドレス区間ＰＡには、共通電極Ｘにバイアス電圧Ｖeが印加され、表示されるべきセル位置で走査電極Ｙ1〜Ｙnとアドレス電極Ａ1〜Ａmとを同時にターンオンさせることによって、表示セルを選択する。
【００２２】
アドレス区間ＰＡの実行後に、共通電極Ｘと走査電極Ｙ1〜Ｙnとに維持パルスＶsを交互に印加し、維持放電区間ＰＳを行う。維持放電区間ＰＳ中にアドレス電極Ａ1〜Ａmにはローレベルの電圧ＶGが印加される。ＰＤＰにおける輝度は、維持放電パルス数によって調整される。一つのサブフィールドまたは一つのＴＶフィールドでの維持放電パルス数が多ければ輝度が増加する。
【００２３】
図５は、図１に示されたパネルの駆動信号の他の例を説明するためのタイミング図であって、図４との差異点は、アドレス区間ＰＡで走査電極のハイレベル電圧ＶSC-Hがローレベルの維持電圧、例えば接地電圧より小さい場合を示す。
【００２４】
図６は、図４に示されたパネル駆動信号を具現するための回路図の一例である。図面に示していないが、ＹsスイッチとＹgスイッチとの間のノードにはエネルギー回生回路が接続されても良い。エネルギー回生回路は、エネルギー回収用キャパシタ、インダクタを含み、パネルキャパシタンスとインダクタ間のＬＣ共振を利用して消費電力の効率を向上させる。エネルギー回生回路は、特許文献２、特許文献３にその例が開示されている。
【００２５】
図４のリセット区間で、Ｖs〜ＶSET＋Ｖsの上昇ランプ区間は、図６でＹppがターンオフされた状態で、Ｖs、Ｙs、Ｃset、Ｙrr1、ＳＣ_L、Panelからなる経路によって行われる。ここでランプ上昇の傾きはＹrr1スイッチを通じて制御される。
【００２６】
図４のリセット区間で、Ｖs〜ＶSC_Lの下降ランプ区間は、Ｙs、Ｙppがターンオンされた状態で、Ｙfr、ＳＣ_L、Panelからなる経路によって行われる。ここで、ランプ下降の傾きはＹfrスイッチを通じて制御される。
【００２７】
図７は、図４に示されたパネル駆動信号を具現するための回路図の他の例である。図面に示されていないが、ＹsスイッチとＹgスイッチとの間のノードにはエネルギー回生回路が接続されても良い。図７と図６との差異点は、Ｙsch、Ｙspスイッチが追加されたことである。
【００２８】
リセット区間ＰＲを具現するためのスイッチング動作は、図６と同一であり、アドレス区間ＰＡ及び維持放電区間ＰＳを具現するためのスイッチング動作が次の通りである。
【００２９】
アドレス区間ＰＡで、ハイレベル走査電圧Ｖsc_hはＹsch、ＳＣ_Hスイッチを通じてパネルに印加され、ローレベル走査電圧ＶSC_LはＹsc、ＳＣ_Lスイッチを通じて印加される。
【００３０】
また、維持放電区間ＰＳで、ローレベルからハイレベルに遷移する区間とハイレベル維持電圧Ｖsは、Ｙpp、Ｙsp、ＳＣ_Hスイッチを通じて印加される。また、ハイレベルからローレベルに遷移する区間とローレベル維持電圧は、Ｙpp、ＳＨ_Lスイッチを通じて印加される。
【００３１】
図８は、図５に示されたパネル駆動信号を具現するための回路図の一例である。図面に示していないが、ＹsスイッチとＹgスイッチとの間のノードにはエネルギー回生回路が接続されても良い。図８と図６の差異点は、Ｙpnスイッチが追加されたことである。Ｙpnは、図８において走査電圧Ｖsc_L、Ｖsc_hが接地電圧より低い場合に、アドレス区間ＰＡで、接地電源とＶsc_Lを遮断するために備わる。もし、ＹpnなしにＹppとＳＣ_Lとが直接接続されれば、Ｙg、Ｙpp、ＳＣ_Lを通じて寄生ダイオードを通じて導通される。その他の駆動信号生成のためのスイッチング動作は図６と同一である。
【００３２】
図９は、図５に示されたパネル駆動信号を具現するための回路図の他の例である。また図９と図７との差異点は、Ｙpnスイッチが追加されたことである。Ｙpnの役割は図８に関連した説明と同一である。その他の駆動信号生成のためのスイッチング動作は図７と同一である。
【００３３】
図６ないし図９においてＹppは、従来のＰＤＰ信号のリセット区間で、ランプ上昇区間とランプ下降区間とを駆動信号の具現のために備わる。また、ランプ上昇区間が、走査駆動回路のローレベル走査電圧入力スイッチであるＳＣ_Lを通じて制御される。前記Ｙppスイッチは、単にリセット区間のランプ上昇区間だけを具現するために具備され、高価の素子である。したがって、前記Ｙppを除去してランプ上昇駆動信号を具現すれば、ディスプレイパネルの駆動回路が簡単になり、コストダウン効果が発生する。
【００３４】
【特許文献１】米国特許第５，５４１，６１８号公報
【特許文献２】米国特許第４，８６６，３４９号公報
【特許文献３】米国特許第５，６７０，９７４号公報
【発明の開示】
【発明が解決しようとする課題】
【００３５】
本発明が解決しようとする技術的課題は、ディスプレイパネルのリセット区間の駆動信号を具現するために構造が改善されたランプ上昇区間制御回路を備えたパネル駆動装置を提供することである。
【課題を解決するための手段】
【００３６】
上記の技術的課題を達成するための本発明の一側面によるディスプレイパネル駆動装置は、ディスプレイパネル駆動信号のリセット区間で、前記ディスプレイパネルに備えられた少なくとも一つの電極に第１電圧から第２電圧まで徐々に増加するランプ上昇電圧を印加するために、前記第１電圧を出力する第１電圧印加部と、前記第２電圧を出力する第２電圧印加部と、前記第１電圧印加部と前記第２電圧印加部との間に接続され、前記ランプ上昇電圧を制御する第１ランプスイッチング部と、前記第１ランプスイッチング部と前記電極との間に接続され、前記電極にハイレベルの走査電圧を印加する第１走査スイッチング部と、を備え、前記第１電圧印加部から第１電圧が出力され、前記第１ランプスイッチング部がターンオンされ、前記第１走査スイッチング部がターンオンされて前記電極に前記ランプ上昇電圧を印加することを特徴とする。
【００３７】
前記第１電圧印加部は、第１電圧の電源端に接続された第１スイッチと、接地端に接続された第２スイッチと、を備え、前記第１スイッチはターンオンされ、前記第２スイッチはターンオフされることによって、前記第１電圧を出力しうる。
【００３８】
前記第１電圧印加部は、前記第１スイッチと前記第２スイッチとの間のノードに接続された第３スイッチをさらに備え、前記第１スイッチはターンオンされ、前記第２スイッチはターンオフされ、前記第３スイッチはターンオンされることによって、前記第１電圧を出力しうる。
【００３９】
前記第１電圧印加部は、エネルギー回生回路をさらに備えうる。
【００４０】
前記第１ランプスイッチング部は、前記第１電圧印加部と前記第２電圧印加部との間に接続された第１キャパシタと、前記第２電圧印加部と前記第１キャパシタとの間のノードに接続された第４スイッチと、を備えうる。
【００４１】
前記第４スイッチには、前記ランプ上昇傾きを制御する回路が接続されうる。
【００４２】
前記第１走査スイッチング部は、走査電源部と、前記走査電源と前記第１ランプスイッチング部とに接続された第５スイッチと、前記第１ランプスイッチング部と前記電極との間に接続された第６スイッチと、を備えうる。
【００４３】
上記の技術的課題を達成するための本発明の他の側面によるディスプレイパネル駆動装置は、ディスプレイパネル駆動信号のリセット区間で、前記ディスプレイパネルに備えられた少なくとも一つの電極に第１電圧から第２電圧まで徐々に増加するランプ上昇電圧を印加するために、前記第１電圧を出力する第１電圧印加部と、前記第２電圧を出力する第２電圧印加部と、前記第１電圧印加部と前記第２電圧印加部との間に接続され、前記ランプ上昇電圧を制御する第１ランプスイッチング部と、前記第２電圧印加部と前記第１ランプスイッチング部とに接続され、前記第２電圧を前記電極にハイレベルの走査電圧として印加する第１走査スイッチング部と、を備え、前記第１電圧印加部から第１電圧が出力され、前記第１ランプスイッチング部がターンオンされ、前記第１走査スイッチング部がターンオンされて前記電極に前記ランプ上昇電圧を印加することを特徴とする。
【００４４】
前記第１電圧印加部は、第１電圧の電源端に接続された第１スイッチと、接地端に接続された第２スイッチと、を備え、前記第１スイッチはターンオンされ、前記第２スイッチはターンオフされることによって、前記第１電圧を出力しうる。
【００４５】
前記第１電圧印加部は、前記第１スイッチと前記第２スイッチとの間のノードに接続された第３スイッチをさらに備え、前記第１スイッチはターンオンされ、前記第２スイッチはターンオフされ、前記第３スイッチはターンオンされることによって、前記第１電圧を出力しうる。
【００４６】
前記第１電圧印加部は、エネルギー回生回路をさらに備えうる。
【００４７】
前記第１ランプスイッチング部は、前記第１電圧印加部と前記第２電圧印加部との間に互いに直列に接続された第１キャパシタ及び第４スイッチを備えうる。
【００４８】
前記第４スイッチには、前記ランプ上昇傾きを制御する回路が接続されうる。
前記第１走査スイッチング部は、前記第１ランプスイッチング部と前記電極との間に接続された第６スイッチを備えうる。
【発明の効果】
【００４９】
本発明のパネル駆動装置によれば、従来にパネル駆動信号のリセット区間でランプ上昇区間を具現するために追加された経路スイッチ(図６ないし図９のＹpp)を除去してランプリセット信号を具現することによって、パネル駆動回路が簡単になり、コストダウン効果が発生する。
【発明を実施するための最良の形態】
【００５０】
以下、本発明の望ましい実施の形態によるディスプレイパネル駆動装置の構成及び動作を添付された図面を参照して詳細に説明する。各図面に示された同じ参照符号は同じ機能を行う構成要素を意味する。
【００５１】
本発明のディスプレイパネル駆動装置は、リセット区間でディスプレイパネルに備えられた少なくとも一つ以上の電極に、第１電圧から第２電圧まで徐々に増加するランプ上昇電圧を印加するためのものである。
【００５２】
本発明のディスプレイパネル駆動装置は、例えば、図４または図５のリセット区間ＰＲで、走査電極Ｙ1〜ＹnにＶsからＶs＋Ｖsetまで徐々に増加するランプ上昇電圧を印加するためのものである。
【００５３】
３電極ディスプレイパネルは、通常、アドレス電極、走査電極、共通電極を備える。この場合、本発明のパネル駆動装置は３つの電極のうち少なくとも一つ以上の電極にランプ上昇電圧を印加する。
【００５４】
図１０は、本発明の望ましい一実施の形態によるディスプレイパネル駆動装置を説明するためのブロック図であり、第１電圧印加部３００、第２電圧印加部３０４、第１ランプスイッチング部３０２、第１走査スイッチング部３０６を備えて、パネル３０８を駆動するための駆動信号を発生させる。
【００５５】
第１電圧印加部３００は、ディスプレイパネルに備えられた少なくとも一つの電極に第１電圧を印加する。ここで第１電圧は、ランプ上昇の初期電圧である。ディスプレイパネル駆動信号において、第１電圧はさまざまなレベルの電圧となり得るが、例えば維持放電区間ＰＳのハイレベル維持放電電圧Ｖsと同じ電圧になり得る。
【００５６】
第２電圧印加部３０４は、ランプ上昇の終期電圧を決定する第２電圧を印加する。
【００５７】
第１ランプスイッチング部３０２は、第１電圧印加部３００、及び第２電圧印加部３０４に接続され、第１電圧から第２電圧まで徐々に増加するランプ上昇電圧を制御する。図４または図５のリセット区間ＰＲを参照すれば、ランプ上昇電圧は、第１ランプスイッチング部３０２のランプ上昇傾きの制御下に、ＶsからＶs＋Ｖsetまで徐々に増加する。
【００５８】
第１走査スイッチング部３０６は、第１ランプスイッチング部３０２とパネル３０８の電極との間に接続され、前記電極にハイレベルの走査電圧(図４のＶSC-H)を印加することが本来の機能である。本発明のパネル駆動装置においては、第１走査スイッチング部３０６を通じて、リセット区間ＰＲのランプ上昇電圧を電極に印加する。
【００５９】
結果的に、図１０のパネル駆動装置は、第１電圧印加部３００から第１電圧が出力され、第１ランプスイッチング部３０２がターンオンされ、第１走査スイッチング部３０６がターンオンされてランプ上昇電圧を電極に印加する。
【００６０】
図１１は、図１０に示されたパネル駆動装置の、更に望ましい実施の形態である。第２ランプスイッチング部３１０及び第２走査スイッチング部３１２は、リセット区間ＰＲのランプ下降電圧を制御するために備えられたものである。
【００６１】
第２ランプスイッチング部３１０は、図４のリセット区間ＰＲを参照すれば、Ｖs〜ＶSC-Lのランプ下降区間を制御する。図面に示していないが、第２ランプスイッチング部３１０はローレベル走査電圧を含む。第２走査スイッチング部３１２は、電極にローレベルの走査電圧を印加する。
【００６２】
第２ランプスイッチング部３１０は、図６〜図９に示した電源ＶSC_L、スイッチＹfrにより具現できる。
【００６３】
第２走査スイッチング部３１２は、図６〜図９に示した電源ＶSC_L、スイッチＹsc、スイッチＳＣ_Lにより具現できる。
【００６４】
図１２は、図１１に示した第１電圧印加部３００の望ましい一実施の形態を説明するための回路図であって、第１電源端Ｖs、第１スイッチ３１６、及び第２スイッチ３１８を備える。
【００６５】
第１スイッチ３１６は、第１電源端Ｖsに接続され、第２スイッチ３１８は接地端ＧＮＤに接続される。第１スイッチ３１６がターンオンされ、第２スイッチ３１８がターンオフされれば、第１電圧Ｖsが第１ノードＮ１に出力される。第１スイッチ３１６がターンオフされ、第２スイッチがターンオンされれば、接地電圧ＶGが第１ノードＮ１に出力される。
【００６６】
また、第１電圧印加部３００は、パネル駆動回路の消費電力効率の向上のためにエネルギー回生回路３１４を更に備え得る。エネルギー回生回路３１４は、エネルギー回収用キャパシタ、インダクタを含み、パネルキャパシタンスとインダクタ間のＬＣ共振を利用して消費電力の効率を向上させる。エネルギー回生回路３１４は、米国特許第４，８６６，３４９号、米国特許第５，６７０，９７４号にその例が開示されている。
【００６７】
図１３は、図１１に示された第１電圧印加部３００の望ましい他の実施の形態を説明するための回路図であって、第１スイッチ３１６、第２スイッチ３１８、及び第３スイッチ３２０を備える。
【００６８】
第３スイッチ３２０は、第１ノードＮ１の電圧が接地電圧より小さい場合、第１ノードＮ１と接地端ＧＮＤとの導通を防止する。もし、第３スイッチがなければ、第２スイッチ３１８のボディーダイオードを通じて第１ノードＮ１と接地端ＧＮＤとが導通される。
【００６９】
第１スイッチ３１６がターンオンされ、第２スイッチ３１８がターンオフされ、第３スイッチ３２０がターンオンされれば、第１電圧Ｖsが第１ノードＮ１に出力される。第１スイッチ３１６がターンオフされ、第２スイッチ３１８がターンオンされ、第３スイッチ３２０がターンオンされれば、接地電圧ＶGが第１ノードＮ１に出力される。
【００７０】
図１４は、図１１に示された第２電圧印加部３０４及び第１ランプスイッチング部３０２の望ましい一実施の形態を説明するための回路図である。第２電圧印加部３０４は、第２電源Ｖset３２６、第１ダイオード３２８を備え得る。また、第１ランプスイッチング部３０２は、第１キャパシタ３２２及び第４スイッチ３２０を備え得る。
【００７１】
第１キャパシタ３２２によって、第２電圧Ｖsetが徐々に充電される。図面に示していないが、第１キャパシタ３２２と第４スイッチ３２０とにはランプ上昇電圧を制御する回路が接続される。ランプ上昇制御回路は、抵抗、キャパシタ、ダイオードを含み、ランプ上昇傾きなどを制御する。
【００７２】
結果的に、第１ノードＮ１電圧から第２電圧Ｖsetまで徐々に増加するランプ上昇電圧が第２ノードＮ２に出力される。
【００７３】
図１５は、図１１に示された第１走査スイッチング部３０６の望ましい一実施の形態を説明するための回路図であって、走査電源部３３０、３３２、第２キャパシタ３４０、第５スイッチ３３４、及び第６スイッチ３３８を備える。
【００７４】
走査電源部３３０、３３２は、走査電源ＶSC_H、３３０、及び走査電源を保護するための第２ダイオード３３２を備え得る。
【００７５】
第２キャパシタ３４０の両端には、ハイレベルの走査電圧ＶSC_Hと第１ノードＮ１との電圧差だけの電圧が印加される。
【００７６】
第５スイッチ３３４は、走査電源３３０と第１ランプスイッチング部３０２との間に接続され、ハイレベルの走査電圧ＶSC_Hを第２ノードＮ２に印加する。第５スイッチ３３４は、アドレス区間ＰＡで動作する。
【００７７】
第６スイッチ３３８は、第１ランプスイッチング部３０２と電極との間に接続され、第２ノードＮ２の電圧をパネル３０８に印加する。
【００７８】
図１６は、本発明の望ましい他の実施の形態によるディスプレイパネル駆動装置を説明するためのブロック図であって、第１電圧印加部３００、第２電圧印加部３０４、第１ランプスイッチング部４０２、第１走査スイッチング部４０６を備えてパネル３０８駆動信号を発生させる。図１６は、第２電圧Ｖsetとハイレベル走査電圧ＶSC_Hとが同一である場合の実施の形態であり、第１走査スイッチング部４０６が第２電圧印加部３０４に接続される。
【００７９】
第１電圧印加部３００は、ディスプレイパネルに備えられた少なくとも一つの電極に第１電圧を印加する。ここで、第１電圧はランプ上昇の初期電圧である。ディスプレイパネル駆動信号において、第１電圧はさまざまなレベルの電圧になりうるが、例えば維持放電区間ＰＳのハイレベル維持放電電圧Ｖsと同じ電圧になり得る。
【００８０】
第２電圧印加部３０４は、ランプ上昇の終期電圧を決定する第２電圧を印加する。
【００８１】
第１ランプスイッチング部３０２は、第１電圧印加部３００と第２電圧印加部３０４に接続され、第１電圧から第２電圧まで徐々に増加するランプ上昇電圧を制御する。図４または図５のリセット区間ＰＲを参照すれば、ランプ上昇電圧は、第１ランプスイッチング部３０２のランプ上昇傾きの制御下に、ＶsからＶs＋Ｖsetまで徐々に増加する。
【００８２】
第１走査スイッチング部４０６は、第２電圧印加部３０４と第１ランプスイッチング部３０２との間のノードに接続され、パネル３０８電極にハイレベルの走査電圧(図４のＶSC_H)を印加することが本来の機能である。
【００８３】
本発明のパネル駆動装置においては、第１走査スイッチング部４０６を通じて、リセット区間ＰＲのランプ上昇電圧を電極に印加する。  ここで、ハイレベルの走査電圧ＶSC_Hが第２電圧Ｖsetと同一である。
【００８４】
すなわち、図１０のパネル駆動装置は、第１電圧印加部３００から第１電圧が出力され、第１ランプスイッチング部３０２がターンオンされ、第１走査スイッチング部３０６がターンオンされてランプ上昇電圧を電極に印加する。
【００８５】
図１７は、図１６に示されたパネル駆動装置の更に望ましい実施の形態であって、第２ランプスイッチング部３１０、第２走査スイッチング部３１２が更に備えられる。
【００８６】
第２ランプスイッチング部３１０は、図４のリセット区間ＰＲを参照すれば、Ｖs〜ＶSC-Lのランプ下降区間を制御する。図面に示していないが、第２ランプスイッチング部３１０はローレベル走査電圧を含む。第２走査スイッチング部３１２は、電極にローレベルの走査電圧を印加する。
【００８７】
第２ランプスイッチング部３１０は、図６〜図９に示された電源ＶSC_L、スイッチＹfrにより具現できる。
【００８８】
第２走査スイッチング部３１２は、図６〜図９に示された電源ＶSC_L、スイッチＹsc、スイッチＳＣ_Lにより具現できる。
【００８９】
図１８は、図１６に示された第２電圧印加部３０４、第１ランプスイッチング部４０２、及び第１走査スイッチング部４０６の望ましい一実施の形態を説明するための回路図である。第２電圧印加部３０４は、第２電源Ｖset、３２６、第１ダイオード３２８を備え得る。また、第１ランプスイッチング部３０２は、第１ノードＮ１と第２電圧印加部３０４と間に互いに直列に接続された第１キャパシタ４２２及び第４スイッチ４２４により具現できる。
【００９０】
第１キャパシタ４２２によって、第２電圧Ｖsetが徐々に充電される。図面に示していないが、第１キャパシタ４２２と第４スイッチ４２４とにはランプ上昇電圧を制御する回路が接続される。ランプ上昇制御回路は抵抗、キャパシタ、ダイオードを含み、ランプ上昇傾きなどを制御する。
【００９１】
また、第１走査スイッチング部４０６は一つのスイッチ４３８により具現できる。
結果的に、第１ノードＮ１電圧から第２電圧Ｖsetまで徐々に増加するランプ上昇電圧が第１走査スイッチング部４０６を通じてパネル３０８電極に出力される。
【００９２】
以上、図面と明細書において最適の実施の形態が開示された。ここで特定用語が使われたが、これは単に本発明を説明するための目的として使われたものであり、意味限定や特許請求の範囲に記載された本発明の範囲を制限するために使われたものではない。したがって、当業者ならば、これより多様な変形及び均等な他の実施の形態が可能である。したがって、本発明の真の技術的保護範囲は特許請求の範囲によってのみ決まるべきである。
【００９３】
本発明は、前述され、図面に示された例示に限定されるものではない。当業者ならば、特許請求の範囲に記載された本発明の範囲及び目的内で置換、消去、併合によって前述した実施の形態に対して多様な変形が可能である。
【産業上の利用可能性】
【００９４】
本発明はパネル駆動信号のリセット区間でランプ上昇区間を具現するために経路スイッチを使ったディスプレイパネル駆動装置に適用され得る。
【図面の簡単な説明】
【００９５】
【図１】一般的な３電極面放電方式のＰＤＰの構造を示す図面である。
【図２】図１に示されたＰＤＰの一般的な駆動装置を示す図面である。
【図３】図１に示されたＰＤＰのＹ電極ラインに対する一般的なアドレス−ディスプレイ分離駆動方法を示す図面である。
【図４】図１に示されたパネルの駆動信号の一例を説明するためのタイミング図である。
【図５】図１に示されたパネルの駆動信号の他の例を説明するためのタイミング図である。
【図６】図４に示されたパネル駆動信号を具現するための回路図の一例である。
【図７】図４に示されたパネル駆動信号を具現するための回路図の他の例である。
【図８】図５に示されたパネル駆動信号を具現するための回路図の一例である。
【図９】図５に示されたパネル駆動信号を具現するための回路図の他の例である。
【図１０】本発明の望ましい一実施の形態によるディスプレイパネル駆動装置を説明するためのブロック図である。
【図１１】図１０に示されたパネル駆動装置のさらに望ましい実施の形態を示す図面である。
【図１２】図１１に示された第１電圧印加部３００の望ましい一実施の形態を説明するための回路図である。
【図１３】図１１に示された第１電圧印加部３００の望ましい他の実施の形態を説明するための回路図である。
【図１４】図１１に示された第２電圧印加部３０４及び第１ランプスイッチング部３０２の望ましい一実施の形態を説明するための回路図である。
【図１５】図１１に示された第１走査スイッチング部３０６の望ましい一実施の形態を説明するための回路図である。
【図１６】本発明の望ましい他の実施の形態によるディスプレイパネル駆動装置を説明するためのブロック図である。
【図１７】図１６に示されたパネル駆動装置のさらに望ましい実施の形態のブロック図である。
【図１８】図１６に示された第２電圧印加部、第１ランプスイッチング部、及び第１走査スイッチング部の望ましい一実施の形態を説明するための回路図である。
【符号の説明】
【００９６】
３００    第１電圧印加部
３０２    第１ランプスイッチング部
３０４    第２電圧印加部
３０６    第１走査スイッチング部
３０８    パネル
【図１】
2005258399.tif 000003
【図２】
2005258399.tif 000004
【図３】
2005258399.tif 000005
【図４】
2005258399.tif 000006
【図５】
2005258399.tif 000007
【図６】
2005258399.tif 000008
【図７】
2005258399.tif 000009
【図８】
2005258399.tif 000010
【図９】
2005258399.tif 000011
【図１０】
2005258399.tif 000012
【図１１】
2005258399.tif 000013
【図１２】
2005258399.tif 000014
【図１３】
2005258399.tif 000015
【図１４】
2005258399.tif 000016
【図１５】
2005258399.tif 000017
【図１６】
2005258399.tif 000018
【図１７】
2005258399.tif 000019
【図１８】
2005258399.tif 000020